(57)【特許請求の範囲】
【請求項１】
機器本体が使用者の頭部に装着される頭部装着型機器であって、
前記機器本体を支持可能であり、該機器本体が前記頭部に装着された状態で該頭部の左右において該頭部の前後方向に延びるフレームと、
前記フレーム及び前記機器本体の少なくとも一方に設けられ、前記頭部の前頭部に押圧される前押圧部と、
前記フレームの左右それぞれの部分に、前記機器本体が前記頭部に装着された状態における該頭部の前後方向に移動可能に取り付けられた第１および第２の調節部材と、
前記頭部の後頭部に押圧される後押圧部を有し、前記第１および第２の調節部材によって保持される後側部材と、
前記第１および第２の調節部材のうち一方の調節部材が前記フレームに対して移動したときに、他方の調節部材を前記フレームに対して前記一方の調節部材と同じ方向に同じ量移動させる連動機構とを有することを特徴とする頭部装着型機器。
【請求項２】
前記連動機構は、それぞれ一端が前記第１および第２の調節部材に固定された第１および第２の部材と、該第１および第２の部材に形成されたラック歯に噛み合うピニオンとを有し、
前記第１および第２の部材のラック歯が、前記ピニオンにおける互いに反対側の部分に噛み合っていることを特徴とする請求項１に記載の頭部装着型機器。
【請求項３】
前記各調節部材は、該調節部材の前記フレームに対する前後の移動方向のうちの一方の方向への移動をロックする機能および該ロックを解除するための操作機能を備えたロック機構を備え、
前記ロック機構のロック解除操作の方向が前記一方の方向と同一であることを特徴とする請求項１又は２に記載の頭部装着型機器。
【請求項４】
前記ロック機構は、前記調節部材の前記フレームに対する前方への移動を許容し、後方への移動をロックするワンウェイクラッチを含むことを特徴とする請求項３に記載の頭部装着型機器。
【請求項５】
前記調節部材は、前記ロック機構をロック解除状態に保持する機構を備えていることを特徴とする請求項３又は４に記載の頭部装着型機器。
【請求項６】
機器本体が使用者の頭部に装着される頭部装着型機器であって、
前記機器本体を支持可能であり、前記機器本体が前記頭部に装着された状態で該頭部の左右において該頭部の前後方向に延びるフレームと、
前記フレーム及び前記機器本体のうち少なくとも一方に設けられ、前記頭部の前頭部に押圧される前押圧部と、
前記フレームの左右それぞれの部分に、前記機器本体が前記頭部に装着された状態における該頭部の前後方向に移動可能に取り付けられた第１および第２の調節部材と、
前記頭部の後頭部に押圧される後押圧部を有し、前記第１および第２の調節部材によって保持される後側部材とを有し、
前記各調節部材は、該調節部材の前記フレームに対する前後の移動方向のうちの一方の方向への移動をロックする機能および該ロックを解除するための操作機能を備えたロック機構を備え、
前記ロック機構のロック解除操作の方向が前記一方の方向と同一であることを特徴とする頭部装着型機器。
【請求項７】
前記ロック機構は、前記調節部材の前記フレームに対する前方への移動を許容し、後方への移動をロックするワンウェイクラッチを含むことを特徴とする請求項６に記載の頭部装着型機器。
【請求項８】
前記調節部材は、前記ロック機構をロック解除状態に保持する機構を備えていることを特徴とする請求項６又は７に記載の頭部装着型機器。
【請求項９】
前記機器本体は、映像を表示することを特徴とする請求項１から８のいずれか１つに記載の頭部装着型機器。
【発明の詳細な説明】
【技術分野】
【０００１】
本発明は、ヘッドマウントディスプレイ等の頭部装着型機器であって、使用者の頭部に装着される装着機構を備えた頭部装着型機器に関する。
【背景技術】
【０００２】
ヘッドマウントディスプレイは手軽に映像を大画面で見ることが可能であること、立体視が容易であること、装着者と共に移動が可能であることなどから広く用いられている。このようなヘッドマウントディスプレイを頭部前側に保持する装着機構は、前頭部に押圧される部分と後頭部に押圧される部分とを有し、これらを頭部の前後に配置した後、後頭部押圧部を前方に移動させて頭部を挟む。さらに、前頭部押圧部と後頭部押圧部との間隔を頭部のサイズに合わせるための調節機構が、頭部の左右の位置に設けられていたり、後部に設けられていたりする。
【０００３】
このような調節機構を頭部の左右に有する装着機構は、例えば特許文献１にて開示されている。この装着機構では、後頭部に沿って配置され、後頭部押圧部を保持するバンドの両端部に、側頭部に沿うサイドフレームに設けられた溝に沿って移動可能なつまみが設けられている。つまみはサイドフレーム内に設けられたラチェット機構によって位置が調節され、解除ボタンによって該ラチェット機構のロックが解除される。この装着機構を頭部に装着する場合、両手でサイドフレームを持ちながら頭に被り、つまみを前に移動させて頭部を挟み込む。
【０００４】
また、調節機構が後部に設けられていれる装着機構は、例えば特許文献２に開示されている。この装着機構の調節機構は、突起を有する回転ドラムと、左側頭部から後頭部に延びる左バンドと、右側頭部から後頭部に延びる右バンドとを有する。各バンドには、回転ドラムの突起に係合する複数の穴が形成されている。そして、両バンドのうち穴が形成された部分は回転ドラムの回転中心を挟んだ互いに反対側に配置されている。このため、該回転ドラムを回転させると両バンドが緩んだり締まったりする。この装着機構を頭部に装着する場合、一方の手で装着機構を持ち、他方の手で後部にある回転ドラムをバンドが締まる方向に回転させて頭部を挟み込む。
【特許文献１】特許第３５７６９８５号公報(図１等)
【特許文献２】特許第３０４２３５３号公報（図２，３等）
【発明の開示】
【発明が解決しようとする課題】
【０００５】
しかしながら、特許文献１にて開示された装着機構は、左右の調節機構を独立して調節するタイプであるために、左右の調節量が異なってしまう場合が多い。特に後頭部押圧部を保持するバンドが可撓性を有する場合においては左右の調節量の自由度が大きいため、後頭部押圧部が前頭部押圧部に対して左右にずれ、安定した装着状態が得られないという欠点がある。しかも、このような場合、後頭部に加わる力が左右で対称とならないために、使用者に不快感を与えるおそれがある。また、ラチェット機構を用いた調節機構では、調節操作時に音が発生したり、段階的にしか調節ができないために装着性が悪かったりするという欠点もある。
【０００６】
また、頭部サイズの小さい人が装着した後に頭部サイズの大きい人が装着する場合は、ラチェット機構のロックを解除する操作をして後頭部押圧部を後退させてからでなければ、頭部に被ることができず、操作が煩わしい。さらにこの際、ロック解除操作の方向と後頭部押圧部の後退方向とが異なるために２段階の操作が必要となり、操作性が悪い。
【０００７】
一方、特許文献２にて開示された装着機構では、装着時に左右どちらか一方の手で頭部装着装置を支えながら後方に延ばした他方の手で調節機構を操作しなければならず、操作や装着がしずらいという問題がある。
【０００８】
本発明は、装着性、操作性に優れ、かつ簡易な構造の装着機構を有する頭部装着型機器を提供することを目的の１つとしている。
【課題を解決するための手段】
【０００９】
本発明の一側面としての頭部装着型機器（第１の発明）は、機器本体を支持可能であり、該機器本体が頭部に装着された状態で該頭部の左右において該頭部の前後方向に延びるフレームと、フレーム及び機器本体の少なくとも一方に設けられ、頭部の前頭部に押圧される前押圧部と、フレームの左右それぞれの部分に、機器本体が頭部に装着された状態における該頭部の前後方向に移動可能に取り付けられた第１および第２の調節部材と、頭部の後頭部に押圧される後押圧部を有し、第１および第２の調節部材によって保持される後側部材とを有する。さらに、第１および第２の調節部材のうち一方の調節部材がフレームに対して移動したときに、他方の調節部材をフレームに対して該一方の調節部材と同じ方向に同じ量移動させる連動機構とを有する。
【００１０】
本発明の別側面としての頭部装着型機器（第２の発明）は、機器本体を支持可能であり、該機器本体が頭部に装着された状態で該頭部の左右において前後方向に延びるフレームと、フレーム及び機器本体のうち少なくとも一方に設けられ、該頭部の前頭部に押圧される前押圧部と、フレームの左右それぞれの部分に、機器本体が頭部に装着された状態における該頭部の前後方向に移動可能に取り付けられた第１および第２の調節部材と、頭部の後頭部に押圧される後押圧部を有し、第１および第２の調節部材によって保持される後側部材とを有する。各調節部材は、その調節部材のフレームに対する前後の移動方向のうちの一方の方向への移動をロックする機能およびロックを解除するための操作機能を備えたロック機構を備え、ロック機構のロック解除操作の方向が前述の一方の方向と同一である。
【発明の効果】
【００１１】
第１の発明によれば、左右に設けられた調節部材のうち一方を操作してフレームに対して移動させれば、連動機構によって他方の調節部材も同じ方向に同じ量移動するため、左右の調節部材を左右対称位置に保つことができる。このため、前押圧部に対して後押圧部が左右にずれることがない。したがって、良好な操作性を有しながらも、安定した装着状態が得られ、かつ装着感も良好なものとすることができる。また、調節部材が左右に配置されているので、両手で頭部装着型機器を支えながら頭部に装着することができ、装着性に優れている。
【００１２】
第２の発明によれば、各調節部材に、前方又は後方への移動をロックする機能およびロック解除操作機能を有するロック機構を設ける場合において、該ロック解除操作の方向を、移動をロックする方向と同一にすることにより、ロック解除操作の力をそのまま調節部材の移動操作に用いることができ、良好な操作性が得られる。
【発明を実施するための最良の形態】
【００１３】
以下、本発明の実施例について図面を参照しながら説明する。
【実施例１】
【００１４】
図１には、本発明の実施例１である頭部装着型表示機器としてのヘッドマウントディスプレイを示している。また、図２には、ヘッドマウントディスプレイにおいて装着機構を構成するフレームの内部構造を示している。
【００１５】
ヘッドマウントディスプレイ本体（機器本体）１は、観察者の頭部Ｈの前側、すなわち両眼の前に配置される。ヘッドマウントディスプレイ本体１は、図１に示すように、パーソナルコンピュータ、ＤＶＤプレーヤ等の映像供給装置１００からの画像信号を受けて、内部に設けた液晶パネル等の画像形成素子に映像を表示する。そして、内部に設けられた光学系によって画像形成素子上の映像を拡大表示する。
【００１６】
ここで、以下の説明において、前後左右および上下は、該ヘッドマウントディスプレイが頭部Ｈに装着された状態での前後左右および上下に対応するものとする。
【００１７】
２は該ヘッドマウントディスプレイ本体１に一体的に取り付けられ（つまりはヘッドマウントディスプレイ１を支持し）、観察者の頭部Ｈの外周に沿った形状を有する剛体のフレーム２である。
【００１８】
ヘッドマウントディスプレイ本体１の内側の面（観察者の眼側の面）における左右方向略中央には、頭部Ｈの前側、すなわち前頭部に押圧される前押圧部３が取り付けられている。該前押圧部３は、前パッド取付板３ａと該取付板３ａに貼り付けられた前パッド３ｂとから構成される。
【００１９】
フレーム２の長手方向に対する断面は、その全周にわたって矩形枠形状を有する。図２に示すように、フレーム２のうち頭部Ｈの左右において前後方向に延びる部分（以下、左フレーム部および右フレーム部という）２Ｌ，２Ｒの内側にはそれぞれ、該左右フレーム部２Ｌ，２Ｒに沿って前後方向に移動可能な左調節部材４Ｌおよび右調節部材４Ｒ（第１および第２の調節部材）が収容されている。
【００２０】
また、左右フレーム部２Ｌ，２Ｒの下面にはそれぞれ、左右調節部材４Ｌ，４Ｒから下方に延びる操作レバー５Ｌ，５Ｒを通すための溝状の開口部２ａが形成されている。
【００２１】
さらに、左右調節部材４Ｌ，４Ｒには、１本の可撓性を有するバンド６の両端が取り付けられている。バンド６は、左右フレーム部２Ｌ，２Ｒの内側面に形成されたスリット形状のバンド引出し口２ｂを通してフレーム２の内側の空間（頭部Ｈが入る空間）の後部に延びている。この後側部材としてのバンド６の略中央には、後パッド取付板７ａと該取付板７ａには貼り付けられた後パッド７ｂとから構成される後押圧部７が取り付けられている。後押圧部７は、頭部Ｈの後側、すなわち後頭部に押圧される。
【００２２】
さらに、右調節部材４Ｒには、右サブバンド８Ｒの前端（一端）が固定されている。また、左調節部材４Ｌには、左サブバンド８Ｌの前端（一端）が固定されている。左右サブバント（第１および第２の部材）８Ｌ，８Ｒはそれぞれ、左右フレーム部２Ｌ，２Ｒの内部を通ってフレーム２のうち後側の部分（以下、後フレーム部という）２Ｂに延びている。そして、左右サブバント８Ｌ，８Ｒの後側部分は、後フレーム部２Ｂ内において前後方向に重なっている。
【００２３】
左右サブバンド８Ｌ，８Ｒの後側部分には、図３に示すように矩形枠部が形成されている。右サブバンド８Ｒにおける該矩形枠部の上辺部分の内面には、ラック歯８Ｒ１が形成されている。また、左サブバンド８Ｌにおける該矩形枠部の下辺部分の内面には、ラック歯８Ｌ１が形成されている。
【００２４】
そして、左右サブバンド８Ｌ，８Ｒの矩形枠部の内側には、ピニオンギヤ９が配置されている。ラック歯８Ｒ１はピニオンギヤ９の上部に噛み合っており、ラック歯８Ｌ１はピニオンギヤ９の下部に噛み合っている。すなわち、両ラック歯８Ｒ１，８Ｌ１は、ピニオンギヤ９に対し、該ピニオンギヤ９の回転中心を挟んだ互いに反対側にて噛み合っている。これら左右サブバンド８Ｌ，８Ｒおよびピニオンギヤ９により連動機構が構成される。
【００２５】
また、フレーム２は左右バンド８Ｌ，８Ｒが必要以上に撓むことがないようにするためのガイドの役割も兼ねている。
【００２６】
左右調節部材４Ｌ，４Ｒには、ワンウェイクラッチを含むロック機構が備えられている。以下、図４〜図６を用いてロック機構の構成について説明する。なお、図４〜図６はそれぞれ、右調節部材４Ｒ上に構成されたロック機構を示している。これらの図の右側が前、左側が後である。左調節部材４Ｌ上のロック機構は、図示しないが、右調節部材４Ｒ上のロック機構と同じ構成を有する。
【００２７】
これらの図に示すように、右調節部材４Ｒは、前後が開口した箱形状を有する。１１は右フレーム部２Ｒの下面に固定されたガイドレール、１３はガイドレール１１の上面に固定されたギヤラックである。このギヤラック１３の側面には、後述するワンウェイクラッチギヤ１２に噛み合うラック歯（図示せず）が形成されている。なお、図５に示すように、右調節部材４Ｒの後部４Ｒ１には、図１および図２に示したバンド６の左端部および右サブバンド８Ｒの前端部が固定されている。
【００２８】
操作レバー５は、右調節部材４Ｒの内側に設けられた軸部Ｏ１により前後方向に揺動操作可能に支持されている。レバー５のうち右調節部材４Ｒ内の部分に設けられた軸部Ｏｃには、ワンウェイクラッチギヤ１２が取り付けられている。ワンウェイクラッチギヤ１２は、図中ｒ方向には回転するが、ｓ方向には回転しない一方向回転ロック構造を有する。
【００２９】
１４は右調節部材４Ｒの内側に設けられたレバーロックであり、該レバーロック１４は、レバー５をロック状態とロック解除状態とに保持する役割を有する。該レバーロック１４は、不図示のバネによって操作レバー５側に突出する方向に付勢されている。
【００３０】
操作レバー５をｌ方向（前方向）へ倒すと、ワンウェイクラッチギヤ１２はギヤラック１３と噛み合う。ワンウェイクラッチギヤ１２は、前述したように、ｒ方向にのみ回転し、ｓ方向には回転しない。ｒ方向は、右調節部材４Ｒを前方に移動させて前後押圧部３，７により頭部Ｈを締め付ける方向に対応する回転方向である。したがって、頭部Ｈを締め付ける際には、単に操作レバー５を前方に押して右調節部材４Ｒを右フレーム部２Ｒに対して前方に移動させるだけで前後押圧部３，７により頭部Ｈを締め付けることができる。
【００３１】
そして、締め付けた状態で操作レバー５から手を離しても、レバーロック１４により操作レバー５は図５に示す位置に保持され、上記ワンウェイクラッチギヤ１２によるｓ方向の回転ロック機能によって右調節部材４Ｒはその位置に留まるので、該締め付けは緩まない。
【００３２】
一方、頭部Ｈの締め付けを緩める際には、操作レバー５をｍ方向に倒すことで、図６に示すように、ワンウェイクラッチ１２がギヤラック１３から外れ、ワンウェイクラッチ１２のｓ方向回転ロック機能による右調節部材４Ｒの後方移動ロックが解除される。このとき、ｍ方向は後方向であり、頭部Ｈの締め付けを緩めるために右調節部材４Ｒを後退させる方向と同じである。このため、操作レバー５を後方に倒す力（ロックを解除するための操作力）がそのまま右調節部材４Ｒを後退させて締め付けを緩めるための操作力として用いられる。したがって、ロック解除の操作方向と締め付けを緩めるための操作方向とが異なる場合（２段階操作が必要になる）に比べて、簡単な操作で締め付けを緩めることができる。
【００３３】
なお、操作レバー５は、一旦ｍ方向に操作されて図６の位置に回動すると、次にｌ方向に操作されるまではレバーロック１４によって図６の位置に保持される。
【００３４】
右調節部材４Ｒを右フレーム部２Ｒに対して前方（頭部Ｈを締め付ける方向）に移動させると、これに伴って右サブバンド８Ｒが前方に引っ張られる。これにより、図３に示した右サブバンド８Ｒの矩形枠部はａ方向に移動し、該矩形枠部に設けられたラック歯８Ｒ１はピニオンギヤ９をｂ方向に回転させる。ｂ方向に回転するピニオンギヤ９は、左サブバンド８Ｌの矩形枠部に設けられたラック歯８Ｌ１を介して左サブバンド８Ｌをｃ方向に押し出す。
【００３５】
これにより、左調節部材４Ｌが右調節部材４Ｒと連動して前方、すなわち右調節部材４Ｒの移動方向と同じ方向に移動する。しかも、左右サブバンド８Ｌ，８Ｒが噛み合うピニオンギヤ９は同一のものであるので、左調節部材４Ｌの前方への移動量は、右調節部材４Ｒの移動量と同じになる。同じとは、完全に一致する場合と、例えばピニオン９およびラック歯８Ｌ１，８Ｒ１間のバックラッシによる微小な差が生じる場合の双方を含む。
【００３６】
このように、右調節部材４Ｒを前方に移動させるよう操作すると、左調節部材４Ｌがこれに連動して同方向に同量移動するので、左右調節部材４Ｌ，４Ｒによってバンド６を介して保持された後押圧部７が前押圧部３に対して左右にずれることなく、前後押圧部３，７間の間隔を狭めて頭部Ｈを締め付けることができる。したがって、頭部Ｈへの装着時において、安定した装着性と快適な装着感を得ることができる。しかも、連動機構やロック機構の構造が簡単であり、ヘッドマウントディスプレイの小型化および軽量化に有効である。
【００３７】
なお、左調節部材４Ｌを前方に移動させるよう操作した場合でも、右調節部材４Ｒがこれに連動して同方向に同量移動し、同様の効果を得ることができる。
【００３８】
また、本実施例では、連動機構をフレーム後部に配置したので、ヘッドマウントディスプレイ全体の重量バランスが保てるという利点がある。
【００３９】
また、本実施例では、ワンウェイクラッチを用いて締め付け方向の操作を許容する一方、緩み方向への移動を防止しているため、ラチェット機構を用いる場合のような締め付け時の音の発生がない。しかも、ラチェット機構を用いる場合のような段階的な締め付け調節ではなく、無段階での調節が可能である。
【００４０】
さらに、レバーロック１４によってロック解除状態を保持することができるので、頭部サイズの小さな人が装着した後に頭部サイズの大きい人が装着しようとする場合において、前後押圧部３，７間の間隔が該大きな頭部サイズに対して狭すぎるような状況でも、前後押圧部３，７間に頭部を挿入するだけで後押圧部７が後退する。したがって、装着時の煩わしさがなくなる。
【００４１】
また、操作レバー５のロック方向と後押圧部７を締め付ける方向、および操作レバー５のロック解除操作方向と後押圧部７を緩める方向とをそれぞれ一致させているので、締め付けると同時にロックをかけることができ、ロック解除と同時に緩めることができる。
【００４２】
なお、操作レバー５のロック解除操作方向と緩める方向とを一致さえさせれば、ロック解除操作の力をそのまま調節部材の移動操作に用いることができる。すなわち、本実施例では、操作レバー５のロック解除操作方向を後方とし、左右調節部材４Ｌ，４Ｒを後方へ移動させた場合を緩める方向としているが、逆に操作レバー５のロック解除操作方向を前方とし、調節部材を前方へ移動させた場合を緩める方向としてもよい。
【実施例２】
【００４３】
図７には、本発明の実施例２であるヘッドマウントディスプレイを示している。また、図８には、ヘッドマウントディスプレイにおける装着機構を構成するフレームの内部構造を示している。なお、本実施例において、実施例１と共通する構成要素には実施例１と同符号を付して説明に代える。
【００４４】
２１は上面視においてＵ字形状を有するフレーム２１である。このフレーム２１の前部にはヘッドマウントディスプレイ本体１が固定されている。また、フレーム２１の前部におけるヘッドマウントディスプレイ本体１とは反対側の面の左右方向略中央には、実施例１で説明したものと同様の前押圧部３が取り付けられている。フレーム２１の長手方向における断面は、実施例１と同様に矩形枠形状を有する。
【００４５】
さらに、フレーム２１の左右における前後方向に延びる部分（左フレーム部２１Ｌおよび右フレーム部２１Ｒ）の内部には、左右調節部材４Ｌ，４Ｒが収容されている。また、左右フレーム部２１Ｌ，２１Ｒの下面には、操作レバー５Ｌ，５Ｒを通すための溝状の開口部２１ａが形成されている。左右調節部材４Ｌ，４Ｒおよび各調節部材に備えられたロック機構の構成は、実施例１と同様である。
【００４６】
２２は頭部外周を囲むように配置されたバンドである。バンド２２のうち前側の部分（長手方向の両端側の部分）はフレーム２１内に収容されており、後側の部分（長手方向の中央周辺部分）は、左右フレーム部２１Ｌ，２１Ｒの後端開口から後方に延出している。該バンド２２の後側部分における略中央には、実施例１で説明した後押圧部７が取り付けられている。バンド２２の左端側部分２２Ｌと右端側部分２２Ｒは、互いにフレーム２１の前部内で前後に重なり、かつ左右反対方向まで延びている。
【００４７】
左右調節部材４Ｌ，４Ｒはそれぞれ、バンド２２のうち左右フレーム部２１Ｌ，２１Ｒ内で前後方向に延びる部分に連結されている。
【００４８】
バンド２２の左端側部分２２Ｌおよび右端側部分２２Ｒは、図９に示すような矩形枠部が設けられている。右端側部分２２Ｒにおける該矩形枠部の上辺部分の内面には、ラック歯２２Ｒ１が形成されている。また、左端側部分２２Ｌにおける該矩形枠部の下辺部分の内面には、ラック歯２２Ｌ１が形成されている。
【００４９】
そして、左端側部分２２Ｌおよび右端側部分２２Ｒの矩形枠部の内側には、ピニオンギヤ２３が配置されている。ピニオンギヤ２３は、前後方向に延びる回転軸を中心として回転する。左端側部分２２Ｌに設けられたラック歯２２Ｌ１と右端側部分２２Ｒに設けられたラック歯２２Ｒ１とは、フレーム２１の前部内の略中央に設けられたピニオンギヤ２３における回転中心を挟んだ互いに反対側の部分に噛み合っている。これらバンド２２（ラック歯２２Ｌ１，２２Ｒ１）およびピニオンギヤ２３により連動機構が構成される。
【００５０】
フレーム２１は、バンド２２が必要以上に撓むことのないようにするためのガイドの役割も兼ねている。
【００５１】
この構成においては、バンド２２が１本で構成されていること、および後側のフレームを省くことができることから、実施例１に比べてさらに軽量化を図ることができる。
【００５２】
本実施例において、例えば、右側の操作レバー５を前方に押して右調節部材４Ｒを右フレーム部２Ｒに対して前方へ移動させると、バンド２２のうち右端側部分２２Rが図９中のｅ方向に移動し、ピニオンギヤ２３をｆ方向に回転させる。ｆ方向に回転するピニオンギヤ２３は、バンド２２の左端側部分２２Ｌに設けられたラック歯２２Ｌ１を介して該左端側部分２２Ｌをｇ方向に引き込む。
【００５３】
本実施例においても、実施例１と同様に、左調節部材４Ｌが右調節部材４Ｒと連動して前方、すなわち右調節部材４Ｒの移動方向と同じ方向に移動する。これにより、後押圧部７が前方に移動する。しかも、バンド２２の左端側部分２２Ｌおよび右端側部分２２Ｒに形成されたラック歯２２Ｌ１，２２Ｒ１が噛み合うピニオンギヤ２３は同一のものである。このため、左調節部材４Ｌの前方への移動量は、右調節部材４Ｒの移動量と同じになる。同じとは、完全に一致する場合と、例えばピニオン２３およびラック歯２２Ｌ１，２２Ｒ１間のバックラッシによる微小な差が生じる場合の双方を含む。これにより、前押圧部３に対して後押圧部７が左右にずれることなく、頭部を締め付けることができる。したがって、頭部Ｈへの装着時において、安定した装着性と快適な装着感を得ることができる。また、実施例１と同様に、連動機構やロック機構の構造が簡単であり、ヘッドマウントディスプレイの小型化および軽量化に有効である。
【００５４】
また、左調節部材４Ｌを前方に移動させるよう操作した場合でも、右調節部材４Ｒがこれに連動して同方向に同量移動し、同様の効果を得ることができる。締め付けを緩める際の操作は、実施例１と同じである。
【００５５】
なお、上記各実施例では、ヘッドマウントディスプレイについて説明したが、本発明は、ヘッドマウントディスプレイに限らず、頭部装着型撮像機器や頭部の動きを検出するセンサ機器等、他の頭部装着型機器にも適用することができる。また、本発明の連動機構の構成は、上記実施例にて説明したものに限らず、他の様々な構成のものを用いることができる。
【図面の簡単な説明】
【００５６】
【図１】本発明の実施例１である頭部装着型機器システムの斜視図。
【図２】実施例１におけるフレームの内部構成を示す上面図。
【図３】実施例１における連動機構の正面図。
【図４】実施例１における調節部材の斜視図。
【図５】実施例１におけるロック機構（後方移動のロック状態）の側面図。
【図６】実施例１におけるロック機構（ロック解除状態）の側面図。
【図７】本発明の実施例２である頭部装着型機器システムの斜視図。
【図８】実施例２におけるフレームの内部構成を示す上面図。
【図９】実施例２における連動機構の正面図。
【符号の説明】
【００５７】
１  ヘッドマウントディスプレイ本体
２，２１  フレーム
３  前押圧部
４Ｌ，４Ｒ  調節部材
５  操作レバー
６，２２  バンド
７  後押圧部
８Ｌ，８Ｒ  サブバンド
９，２３  ピニオンギヤ
１２  ワンウェイクラッチギヤ
１３  ギヤラック
１４  レバーロック
【図３】
0004402018.tif 000002
【図１】
0004402018.tif 000003
【図２】
0004402018.tif 000004
【図４】
0004402018.tif 000005
【図５】
0004402018.tif 000006
【図６】
0004402018.tif 000007
【図７】
0004402018.tif 000008
【図８】
0004402018.tif 000009
【図９】
0004402018.tif 000010